(57)【要約】【課題】一般に庭は地面（土の上）につくり運ぶことが困難である。又作った庭を壊さずに運びたい。運べる庭を作る。住まいの室内及び店舗や施設屋内などで庭を作ると植えた植物へ散水した排水を流せない。屋内で庭を楽しみたい。又期間を限定して庭を使いたい。作った庭を壊さずに運びたい。屋内で自由なデザイン及びスタイル及規模の庭をつくる。庭を運んで販売，レンタルを可能にする。【解決手段】庭を運べる容器に入れて作る。容器を作庭できるサイズに大きく作る。庭を作る容器に運ぶ為の機能を備える。庭の植物に散水及び降った雨水をまとめて排水又は貯水又は循環して再利用する。特に大きな面積の庭を作るためには複数の作庭容器を組み合わせて又連ねて作る。散水した排水をまとめて回収する方法又は回収して再利用する方法。作庭用鉢及びプランタのデザイン，スタイルが自由にでき，製作できる。【選択図】図１１
2018057352.tif 000002
【特許請求の範囲】
【請求項１】
植木及び草花などを複数植栽し，又景石及び作庭用品を配置して，造園に使用する，勾配のついた底と排水溝と排水口と排水口の栓を備えた造園用の土及び水を入れることができる容器の鉢及びプランタで内部の勾配がついた底は排水溝又は排水口に向かって傾斜し，造園用の鉢及びプランタのどの部分に散水又は雨が降っても水が排水溝又は水が排水口の方向に流れる，又排水口を通って外に流れ出し，排水口に排水貯水タンクを取り付けタンク内に排水を溜める構造になっている，又造園用の鉢及びプランタを荷物をのせて運ぶパレットの上に乗せて又はパレットの上に乗せて固定し，運ぶことができること，又造園用の鉢及びプランタの底裏面下部に桟を間隔を空けて取り付け，空間を作り，その空間に荷物を上げて運ぶフォークリフトの爪を入れて持ち上げて運ぶこと，又クレーンなどで吊り上げるためのベルトを桟と桟の隙間に取り付けることもでき，又鉢及びプランタの底面下部に取り付けた桟に車輪を取り付けることもでき，動く機能も備えることができる造園用の鉢及びプランタと造園用の鉢及びプランタに作庭した庭とをフォークリフト及びクレーンなどで車載して運び，他の必要な場所で使えること，又運んだ場所から他への場所へ何度も運び移動できることを特徴とする造園用の鉢及びプランタと動くガーデン。
【請求項２】
前記載請求項１の造園用の鉢及びプランタの底が排水溝又は排水口に向かって勾配がついていること，又大きさ，用途，デザイン，形状に応じて，勾配の方向及び排水溝の方向を自由にとること，又勾配方向及び排水溝を複数とること及び複数の排水口を設けること，又排水口から出た排水は造園用の鉢及びプランタと一体化した排水槽又は排水タンクへ入る構造及び，又は排水口に配管を取り付けし，外部に水を漏らさず処理を可能とすること又排水を循環させて再利用できることを特徴とする造園用の勾配排水溝型プランタと造園用の勾配集排水型プランタ。
【請求項３】
前記載請求１の造園用の鉢及びプランタ及び前記載請求項２の勾配排水溝型プランタと勾配排水型プランタの排水口を栓で塞ぎ，水をとめ、造園用の鉢及びプランタ内に溜めておくことができ，池及びプール及び水槽及び浴槽として利用できることを特徴とする池＆プール＆水槽＆兼作庭用プランタ。
【請求項４】
前記載請求項１の造園用の鉢及びプランタ及び前記載請求項２の勾配排水溝型プランタと勾配排水型プランタ，前記載請求項３の池＆プール＆水槽兼作庭用プランタの機能を備えること，用途によりデザイン，形状，大きさを変え，複数の植栽枡及び作庭ボックス及び水槽を備えることを特徴とするガーデニングパレット。
【請求項５】
前記載請求項１の造園用の鉢及びプランタ及び前記載請求項２の勾配排水溝型プランタと勾配排水型プランタ，前記載請求項３の池＆プール＆水槽兼作庭プランタ，及び前記載請求項４のガーデニングパレットを複数並べて排水口を連結できること，又必要に応じた形状及び大型の広い面積のガーデンを作れることを特徴とする排水連結システムガーデン。
【請求項６】
前記載請求項１及び２及び３及び４及５を用途により必要な複数を組み合わせ作庭できることを特徴とする動くガーデン。
【請求項７】
前記載請求項１及び２及び３及び４及び５及び６の全て又はいずれかを使い作庭した庭園を自動運転で必要とする場所へ移動できること，又固定し，又自動運転で移動して使えることを特徴とする自動運転の動くガーデン。
【請求項８】
前記載の請求項１及び２及び３及び４及び５及び６及び７を木材及び合板及び発砲スチロール，紙材，鋼材，ＦＲＰ及び合成樹脂板の上に合成樹脂を塗装及び吹付け又施し製作，又は合成樹脂で製作することを特徴とする造園用の鉢及びプランタ及び勾配排水溝型プランタ及び勾配集排水型プランタ及び池＆プール＆水槽兼作庭用プランタ及びガーデニングパレット
【請求項９】
前記載の請求項１及び２及び３及び４及び５及び６及び７及び８は作庭した庭園に散水した排水及び作庭した庭園に降った雨水は排水浄化剤，濾過ストッパーで止められた排水浄化剤，浄化材料，濾過槽を通して排水浄化剤，濾過ストッパーの濾過排水穴から排水口方向に流れ出る，排水口を栓で塞ぐことで，流れ出た排水を排水口部分手前の傾斜がついた底から溜めることができ，濾過され，浄化された排水の水溜りとなり，池として利用でき，作庭した水場の景観となること，又溜まった水はオーバーフロー排水口の高さで流れだす，又造園用の鉢及びプランタに一体化して繋がった別枡の排水槽又は造園用の鉢又及びプランタの外部に別に設けた排水貯水タンクへ流す，又は接続配管を通して散水し再び池の水として再利用できること，又単体の造園用の鉢及びプランタで植栽と水溜り及び池ができることを特徴とする勾配集排水型プランタと勾配排水溝型プランタとガーデニングパレット。
【発明の詳細な説明】
【技術分野】
【０００１】      本発明は庭園を地面の上に直接作らず，運べることを可能にした造園用の鉢及びプランタ及び容器と散水及び造園用の鉢及びプランタに降った雨水の排水方法及び造園用の鉢及びプランタ，容器に作庭した，運べる庭園，動くガーデンに関する。
【背景技術】
【０００２】    従来の鉢やプランタは簡単に運ぶため，サイズを小型にした物が多く，そのため複数の植物や庭園用品を使って作庭するには不向きである。又大き目のものは移動や運搬に向いていない物が多く，排水穴も底面に作られていて散水した水や雨水は床や地面に直接流されるため作庭したものを移動して使うには使う場所が限定され，鉢やプランタの下に排水を受ける容器が必要で，特に屋内には不向きである。
【先行技術文献】
【特許文献】
【０００３】
【特許文献１】特願２０１６−２７４０４号
【発明の概要】
【発明が解決しようとする課題】
【０００４】    従来の庭園は一般に地面の上に作る方法であり，庭を壊さずに運ぶことができなかった。【０００５】    従来の鉢やプランタは単体の小さいもので植栽量も限られ，庭などの景観を作ることは難しい。又大き目のものでも運ぶ為の機能が不十分で移動や運ぶことに適していない。【０００６】    従来の鉢やプランタの底は平らで中央に排水穴があるものが一般的だった，そのため排水がそのまま底部から下部に漏れるものであった。又屋内や排水が漏れると不都合な場所で使用するには排水を漏らさない為に別の容器をうけ皿として使っている。【０００７】    従来の鉢やプランタは散水や降った雨水が溜まらないよう又植物の根がいたまないように排水穴を開けてあり，塞ぐ機能を備えていないため池やプール，水槽に利用できない。又一度散水した水や降った雨水はそのまま排水され再利用できなかった。【０００８】    従来の鉢やプランタは植栽枡が単体で仕切りが有っても小さいものが多く，容器の幅や深さ形状が限定されやすく造園用の鉢及びプランタ及び容器して機能を果たさなかった。
【課題を解決するための手段】
【０００９】    本発明は庭の景観を作るスペースを備えるサイズや形状の鉢及びプランタを必要なサイズや形状に応じて材料を用意し，加工及び製作することで植栽及び庭園用品を配置する作庭用の鉢及びプランタを製作することを可能にした。又大きいサイズの鉢及びプランタ又は鉢及びプランタに造園したものを持ち上げ及び車載、運搬，設置などを可能にする為に鉢及びプランタの底面裏，下部に桟を取り付けて隙間を作りフォークリフトで運ぶことやクレーンの吊り用ベルトを取り付けて運ぶことを可能にした。又荷物を運搬用のパレットに乗せて運ぶタイプやパレットの上に固定して運ぶタイプの造園用の鉢及びプランタを作り動く，運べるガーデンを実現した。【００１０】    本発明は造園用の鉢及びプランタの底面に排水用の穴を開けずに底面に傾斜をつけて傾斜した水下に溝を作り，溝が排水口に傾斜して水は鉢及びプランタの側面底下部に作られた排水口から流れ出る又造園用の鉢及びプランタの底面に傾斜をつけて排水口に向けて勾配をとり排水口から流れ出る，排水口に配管を取付け排水回収タンクに入る，又は排水口に取り付けて配管から散水用の再利用をすることにより造園用の鉢及びプランタの底面から排水が漏れること又たれ流すことなく使うことが出来る。これにより造園用の鉢及びプランタ及び造園用の鉢及びプランタに造園した動くガーデンは排水が漏れると不都合な場所や屋内でも使うことを可能にした。【００１１】    本発明は造園用の鉢及びプランタの排水口に栓を取り付け水を止めて溜めることが可能で造園用の鉢及びプランタを池及びプール及び水槽として使うことができる。【００１２】    本発明は造園用の鉢及びプランタのサイズを用途に応じて大きくすることが出来るためサイズや形状の異なる植栽枡又は植栽ボックスを複数備えることができ，植木のサイズ及び景観を作る高低差を複数に分けて作ることを可能にした。又植栽の造園と池を一つの造園用の鉢及びプランタで作ることも可能にした。又これが動くガーデンとして使うことができる。【００１３】    本発明は単体で運べる機能を持つ造園用の鉢及びプランタを複数ならべて大きな作庭スペースを作ることを可能にした。又造園用の鉢及びプランタの排水口を複数繋ぎ配管し，排水を少なくまとめることで排水の処理を容易にし，再利用も可能にした。
【発明の効果】
【００１４】    上述したように本発明の造園用の鉢及びプランタは植栽スペースを大きくし，庭園作ることを可能にするとともに，フォークリフト，クレーン及びトラックなどを使い，運ぶための機能を備えたもので庭園を壊さず，何度も移動及び運んで使い，楽しみことを可能にし，庭の機能と用途を拡大した。【００１５】    又，鉢及びプランタの底に落ちる散水及び雨水などが排水溝及び排水口に流れる勾配の仕組みで排水し，外部に垂れ流さず，回収又再利用を可能にし，屋内や排水を流せない場所で庭園を使い，楽しむことができる。【００１６】    又地面（土）がないところでも庭園をつくり楽しむことを可能にした。【００１７】    又，作庭した庭園を運べることで再利用が可能となり資源及び資金の節約になる。
【図面の簡単な説明】
【００１８】
【図１】勾配排水溝型プランタ大，ベースパレット（独立桟一体型）を複数組み合わせた鳥瞰図。
【図２】勾配排水溝型プランタ大，ベースパレット（独立桟一体型）の展開図。
【図３】勾配排水溝型プランタ小，ベースパレット（独立桟一体型）の展開図。
【図４】荷物運び用パレット鳥瞰図と荷物運び用パレットの上に乗せた勾配排水溝型プランタ，ベースパレット無し（桟無し）を複数組合せの鳥瞰図。
【図５】勾配排水溝型プランタ大，ベースパレット無し（桟無し）の展開図。
【図６】勾配排水溝型プランタ小，ベースパレット無し（桟無し）の展開図。
【図７】勾配集排水型ガーデニングパレット（複数植栽枡兼植栽ボックス兼水槽，池＆プールタイプ）の鳥瞰図。
【図８】勾配集排水型ガーデニングパレット（複数植栽枡兼植栽ボックス兼水槽，池＆プールタイプ）の桟独立型の平面図。
【図９】勾配集排水型ガーデニングパレット（複数植栽枡兼植栽ボックス兼水槽，池＆プールタイプ）桟型の平面図。
【図１０】（Ａ）勾配排水溝型プランタの縦長タイプ１０個又は勾配集排水型プランタの縦長タイプ１０個を横に並べた鳥瞰図，（Ｂ）勾配排水溝型プランタの排水口を連結配管した平面図。
【図１１】勾配集排水型ガーデニングパレットに造園した動くガーデン鳥瞰図と（Ｂ）クレーンフック図（Ｃ）車輪，キャスター図。
【発明を実施するための形態】
【００１９】
【実施例】
【００２０】  図１においては，勾配排水溝型プランタ大と勾配排水溝型プランタ小である。１は底で２は前面板３は左側面板４は背面板５は右側面板で、１の底が９から１１及び１０から１２の方向へ傾斜がついていて１７の排水溝へ散水や降った雨水が流れる。排水溝は１１から１２の方向へ傾斜がついていて８の排水口から流れでる。６ベースパレット独立桟，７ベースパレット通し桟で車輪を装着することができ，桟と桟の空間にフォークリフトの爪やクレーン吊り用のベルトを取り付け持ち上げて移動及び車載して運び，設置して使うものである。【００２１】  図２においては，勾配排水溝型プランタ大の展開図で（Ａ）は右側面図で排水は１０の勾配水上から８の排水口に向かって流れる。（Ｂ）は背面図である。（Ｃ）は平面図で１０の勾配水上から１２の勾配水下方向へ流れ，１３の排水溝に入る。又９の勾配水上から１１の勾配水下方向へ流れ，１３の排水溝に入り，１３の排水溝は１１から１２の方向へ勾配がついていて排水が流れる。（Ｄ）は正面図で１６は排水溝の底である（Ｅ）は左側面図である。１３は排水溝である。【００２２】  図３においては，勾配排水溝型プランタ小の展開図で（Ａ）は左側面図で排水は１０の勾配水上から８の排水口に向かって流れる。（Ｂ）は正面図である。（Ｃ）は平面図で１０の勾配水上から１２の勾配水下方向へ流れ，１３の排水溝に流れる。又９の勾配水上から１１の勾配水下方向へ流れ，１３の排水溝に入り，１７の排水溝は１１から１２の方向へ勾配がついていて排水が流れる。（Ｄ）背面図で１６は排水溝の底である。（Ｅ）は右側面図である。１３は排水溝である。【００２３】  図４においては，（Ａ）荷物運び用パレットで１７の一般荷物用パレット上面１８の固定用穴，１９のフォークリフト用爪穴兼クレーンベルト用穴でこれに（Ｂ）勾配排水溝型プランタ大と勾配排水溝型プランタ小を組み合わせて載せたものである。【００２４】  図５においては，勾配排水溝型プランタ大，ベースパレット無し（桟無し）の展開図で散水又は降った雨水は９勾配水上（排水溝上）から１１排水溝上へ，又１０勾配水上（排水溝下）から１２排水溝下へ流れる。又排水溝に流れて入った散水及び雨水は１１排水溝上から１２排水溝下へ流れ，８排水口に入り外部へ流れ出る。【００２５】  図６においては，勾配排水溝型プランタ小，ベースパレット無し（桟無し）の展開図で散水又は降った雨水は９勾配水上（排水溝上）から１１排水溝上へ，又１０勾配水上（排水溝下）から１２排水溝下へ流れる。又排水溝に流れて入った散水及び雨水は１１排水溝上から１２排水口下へ流れ，８排水口に入り外部へ流れ出る。【００２６】  図７においては，勾配集排水型ガーデニングパレットで複数の植栽枡及び植栽ボックスを備え，植栽枡及び植栽ボックスは水槽，池及びプールに兼用でき，植栽と池を併用した庭園を作ることができる。２０は勾配集排水型プランタ，メインで２１は勾配集排水型プランタ，サブで段差のある複数の植栽枡及び植栽ボックスを備えることにより高低差をつけた変化のある作庭が可能である。２２メインプランタ最水上１は底面の最も高い部分で２３メインプランタ水上２及び２４メインプランタ水上３及び２５メインプランタ水���４から８排水口の方向に向かって勾配がついていて散水又は雨水が流れて排水口を通って外部に流れでる。又排水口に貯水タンクを設けて排水を溜めることができ，この排水を循環して散水などに再利用が可能である。２６サブプランタ最水上１及び２７サブプランタ水上２からサブプランタの８排水口に向かって勾配がついていて散水又は雨水はサブプランタの８排水口を通って外部に流れ出る。２８メインＲ背面板及び２９メインＲ側面板，３０メインＲＲ全面板で，３２サブＲＲ全面板，３３Ｒ側面板でこれらの形状、サイズ、デザインは用途及び規模により変更してデザインし，製作することができる。【００２７】  図８においては，勾配集排水型ガーデニングパレットの平面図で，６ベースパレット独立桟を備えてフォークリフトの爪差し込み及びクレーン用ベルトの装着は縦方向、横方向に装着できる。２０勾配集排水型プランタ，メインの２２メインプランタ最水上１，２３メインプランタ水上２，２４メインプランタ水上３，２５メインプランタ水上４から２０勾配集排水型プランタ，メインの８排水口方向へ傾斜がつき排水及び雨水が流れ出る。２１勾配集排水型プランタ，サブの２６サブプランタ最上水１，２７サブプランタ上水２から２１勾配集排水型プランタ，サブの８排水口方向へ傾斜がつき排水及び雨水が流れ出る。【００２８】  図９においては，勾配集排水型ガーデニングパレットの平面図で，７ベースパレット桟を備えてフォークリフトの爪差し込み及びクレーン用ベルトの装着は横方向又は縦方向のいずれかで作られ，桟が繋がっていることで必要方向の強度を増すことができる。２０勾配集排水型プランタ，メインと２１勾配集排水型プランタ，サブは共に８排水口を備えている。【００２９】  図１０においては，勾配排水溝型プランタを横一列に並べた（Ａ）鳥瞰図，及び（Ｂ）平面図で，（Ａ）３４勾配排水溝型プランタの縦長タイプの７ベースパレット通し桟及び８排水口を備えたものを１０個横一列にならべて配置したものである。（Ｂ）は３４勾配排水溝型プランタの縦長タイプの７ベースパレット通し桟及び８排水口を備えたものを１０個横一列に並べ，８排水口を１０ヶ所３５連結配管したものである。１３の排水溝から出た排水は８排水口から３５連結配管に入りはｅからＣ，及びｅからｄ方向へ水勾配を取り両方に分かれて３６連結配管排水口から流れ出る。又３６連結配管排水口に排水貯水タンクを取り付け，溜まった排水再利用が出来る。又（Ａ）図及び（Ｂ）において，例えばａからｂを１０メートル，Ｃからｄを３メートルにして作庭すると３０ｍ２の面積の庭園ができる。この３４勾配排水溝型プランタ縦長タイプの７ベースパレット通し桟及び８排水口を備えた１０個の作庭枡及びプランタからできた庭園は他の場所で作庭して並べることも可能で，配置及び設置して使用後にも１０個に分けて運搬し，再利用ができるものである。【００３０】  図１１においては，（Ａ）勾配集排水型のガーデニングパレットに作った４０作庭，庭園で，庭園に散水し又は降った雨水は，８排水口に向かって流れ，４７排水浄化剤，浄化材料及び濾過槽及び４５排水浄化剤，濾過槽ストッパーの４６濾過水排水穴を通り，４３排水水溜りに濾過し，浄化された排水が溜��る。又濾過された排水は４４水面ラインまで上がり，４２のオーバーフロー排水口から流れ排水貯水タンクに入る又は再利用配管に接続し，散水及び池の水として再利用する。（Ｂ）は（Ａ）を吊り上げて移動及び車載し，運ぶ為の３９クレーンフックである。（Ｃ）は（Ａ）の６ベースパレット独立桟又は７ベースパレット通し桟に取り付けて使う３８車輪，キャスターである。８排水口に栓を取り付け塞ぐことで作庭をしないで４１池＆プール＆水槽として使うことができる，又排水口の外側に排水を溜めるタンクを取り付け排水を溜めることができ，排水を庭園の散水に再利用もできる。【００３１】  図１の勾配排水溝型プランタ大及び図７の集排水型ガーデニングパレットを内側及び外側を両底面含む全ての部分を木材及び合板又は発砲スチロール，紙材，鋼材，ＦＲＰ，及び合成樹脂板材で製作し，その上に合成樹脂を塗装又は吹付け，施し製作又は合成樹脂材で製作する。
【産業上の利用可能性】
【００３２】    地面に庭を作れない場所又庭を作りにくい場所及び店舗や施設及び屋内で庭の利用又庭を楽しむことを可能にしたこと，又運べることで多くの場所で使われる可能性が高く又手軽に短期間及び期間を限定して庭を使うこともでき，オリンピックなどのイベントで使用し，使い終わった後の再利用もでき，産業上利用の可能性が高い。
【符号の説明】１  勾配排水溝型プランタ大，（ベースパレット桟一体型）
２  前面板
３  左側面板
４  背面板
５  右側面板
６  ベースパレット独立桟
７  ベースパレット通し桟
８  排水口
９  勾配水上（排水溝上）
１０勾配水上（排水溝下）
１１排水溝上
１２排水溝下
１３排水溝
１４勾配排水型プランタ小，（ベースパレット桟一体型）
１５底裏面
１６底面
１７一般荷物用パレット上面
１８固定用穴
１９フォークリフト用爪穴兼クレーンベルト用穴
２０勾配集排水型プランタ，メイン
２１勾配集排水型プランタ，サブ
２２メインプランタ最水上１
２３メインプランタ水上２
２４メインプランタ水上３
２５メインプランタ水上４
２６サブプランタ最水上１
２７サブプランタ水上２
２８メインＲ背面板
２９メインＲ側面板
３０メインＲＲ前面板
３１メインＲ側面板
３２サブＲＲ前面板
３３サブＲ側面板
３４勾配排水溝型プランタ縦長タイプ
３５連結配管
３６連結配管排水口
３７リフト用兼クレーンベルト取付け部
３８車輪，キャスター
３９クレーンフック
４０作庭，庭園
４１池＆プール＆水槽
４２オーバーフロー排水口
４３排水水溜り
４４水面ライン
４５排水浄化剤，濾過槽ストッパー
４６濾過水排水穴
４７排水浄化剤，浄化材料及び濾過槽
【図１】
2018057352.tif 000003
【図２】
2018057352.tif 000004
【図３】
2018057352.tif 000005
【図４】
2018057352.tif 000006
【図５】
2018057352.tif 000007
【図６】
2018057352.tif 000008
【図７】
2018057352.tif 000009
【図８】
2018057352.tif 000010
【図９】
2018057352.tif 000011
【図１０】
2018057352.tif 000012
【図１１】
2018057352.tif 000013
【手続補正書】
【提出日】平成29年4月19日(2017.4.19)
【手続補正１】
【補正対象書類名】特許請求の範囲
【補正対象項目名】全文
【補正方法】変更
【補正の内容】
【特許請求の範囲】
【請求項１】
植木，草花を複数植栽し，植栽及び造園に使用する容器で，排水口と排水口に向かって勾配のついた底と排水口を塞ぐ栓とを備えていること，前記排水口を栓で塞ぐことにより，雨水，散水又は注水を溜める機能を備えていること，前記溜まった水を排水するオーバーフロー排水口を備えていることを特徴とする造園用の容器。
【請求項２】
前記載請求項１の造園用の容器の底は該容器に散水された水を排水口に向かって１点に集まるように勾配を設けた勾配集排水型であること，又は該容器の底に排水溝を設け，容器の底は排水溝に向かって勾配を設け，排水溝は排水口に向かって勾配を設けた勾配排水溝型であること，勾配集排水型の排水口又は勾配排水溝型の排水口は容器の底の最低部に設けられ，該容器内の水は排水口からすべて外部へ排出されることを特徴とする造園用の容器。
【請求項３】
造園用の容器の排水口を栓で塞ぎ，水を注入し，水を溜め，池，プール，水槽として利用できる機能を備えること，造園用の容器に溜まった水を排水口又はオーバーフロー排水口に配管を取付けし，配管を排水貯水タンクに接続し，水の循環装置を設けて該容器内へ水を戻し，水を再利用できる機能を備えることを特徴とする請求項１又は請求項２に記載の造園用の容器。
【請求項４】
造園用の容器は複数の植栽部又は植栽枡及び複数の水槽を備えることを特徴とする請求項１又は請求項３の造園用の容器。
【請求項５】
請求項１ないし請求項４のいずれかの造園用の容器のうち一つ又は複数の造園用の容器を並べ該容器の排水口に連結配管を設けて繋ぎ，連結配管排水口を設け，並べて連結配管した該容器の水を排水可能としたことで大型の広い面積のガーデンを作れることを特徴とする排水連結システムガーデン。
【請求項６】
造園用の容器の下部にリフト用兼クレーンベルト取付け部又は造園用の容器を動かすための車輪を設け，造園用の容器に造園した庭園をクレーンフックに掛けて釣り上げ，車載又はリフトで持ち上げ，車載して運ぶ，庭園を移動又は動かすことを特徴とする請求項１ないし請求項４のいずれかの造園用の容器。
【請求項７】
造園用の容器を動かすための車輪に稼働装置を設け，該稼働装置を遠隔操作する機器を設けることで該造園用の容器に作庭した庭園を自動運転で動かすことを特徴とする請求項６に記載の造園用の容器。
【請求項８】
前記載の請求項１，請求項２，請求項３，請求項４，請求項６又は請求項７の造園用の容器を木材，合板，発泡スチロール，紙材，鋼材，ＦＲＰ又は合成樹脂板に合成樹脂を塗装又は吹付け又は施し製作すること，又は合成樹脂で製作することで保水と排水を可能としたことを特徴とする造園用の容器。
【請求項９】
前記載の請求項１，請求項２，請求項３，請求項４，請求項６，請求項７又は請求項８の造園用の容器は底の勾配の高い部分と低い部分との途中に濾過水排水穴を有する排水浄化剤，濾過槽ストッパーを設けることを可能とし，排水浄化剤，浄化材料，濾過槽を設けることで雨水，散水又は注水した水は浄化されて排水口付近に浄化された水溜まりをつくること，溜まった水はオーバーフロー排水口の高さの水面ラインで外部へ排水し，これにより一つの容器で植栽と浄化された水場を作ることを可能とし，魚及び生物を飼うことを可能にしたことを特徴とする造園用の容器。
【手続補正２】
【補正対象書類名】明細書
【補正対象項目名】全文
【補正方法】変更
【補正の内容】
【発明の詳細な説明】
【技術分野】
【０００１】    本発明は庭園を地面の上に直接作らず，運べることを可能にした造園用の容器と溜水及び造園用の容器に降った雨水又は散水と注水した水の排水方法と循環及び造園用の容器に作庭した，運べる庭園，動くガーデンに関する。
【背景技術】
【０００２】    従来の鉢やプランタは簡単に運ぶため，サイズを小型にした物が多く，そのため複数の植物や庭園用品を使って作庭するには不向きである。また，大き目のものは移動や運搬に向いていない物が多く，排水穴も底面に作られていて散水した水や雨水は床や地面に直接流されるため作庭したものを移動して使うには使う場所が限定され，鉢やプランタの下に排水を受ける容器が必要で，特に屋内には不向きである。
【先行技術文献】
【特許文献】
【０００３】
【特許文献１】特願２０１６−２７４０４号
【発明の概要】
【発明が解決しようとする課題】
【０００４】    従来の庭園は一般に地面の上に作る方法であり，庭を壊さずに運ぶことができなかった。【０００５】    従来の鉢やプランタは単体の小さいもので植栽量も限られ，庭などの景観を作ることは難しい。また，大き目のものでも運ぶ為の機能が不十分で移動や運ぶことに適していない。【０００６】    従来の鉢やプランタの底は平らで中央に排水穴があるものが一般的だった，そのため排水がそのまま底部から下部に漏れるものであった。また，屋内や排水が漏れると不都合な場所で使用するには排水を漏らさない為に別の容器をうけ皿として使っている。【０００７】    従来の鉢やプランタは散水や降った雨水が溜まらないよう，また，植物の根がいたまないように排水穴を開けてあり，塞ぐ機能を備えていないため池やプール，水槽に利用できない。また，一度散水した水や降った雨水はそのまま排水され再利用できなかった。【０００８】    従来の鉢やプランタは植栽枡が単体で仕切りが有っても小さいものが多く，容器の幅や深さ形状が限定されやすく造園用の容器として機能を果たさなかった。
【課題を解決するための手段】
【０００９】    本発明は庭の景観を作るスペースを備えるサイズや形状の鉢及びプランタを必要なサイズや形状に応じて材料を用意し，加工及び製作することで植栽及び庭園用品を配置する造園用の容器を製作することを可能にした。また，大きいサイズの造園用の容器に造園したものを持ち上げ及び車載、運搬，設置などを可能にする為に造園用の容器の底面裏，下部に桟を取り付けて隙間を作りフォークリフトで運ぶことやクレーンの吊り用ベルトを取り付けて運ぶことを可能にした。又荷物を運搬用のパレットに乗せて運ぶタイプやパレットの上に固定して運ぶタイプの造園用の容器を作り動く，運べるガーデンを実現した。【００１０】    本発明は造園用の容器の底面に排水用の穴を開けずに底面に傾斜をつけて傾斜した水下に溝を作り，溝が排水口に傾斜して水は造園用の容器の側面底下部に作られた排水口から流れ出る，また，造園用の容器の底面に傾斜をつけて排水口に向けて勾配をとり排水口から流れ出る，排水口に配管を取付け排水回収タンクに入る，又は排水口に取り付けて配管から散水用の再利用をすることにより造園用の容器の底面から排水が漏れること又はたれ流すことなく使うことが出来る。これにより造園用の容器に造園した動くガーデンは排水が漏れると不都合な場所や屋内でも使うことを可能にした。【００１１】    本発明は造園用の容器の排水口に栓を取り付け水を止めて溜めることが可能で造園用の容器を池及びプール及び水槽として使うことができる。【００１２】    本発明は造園用の鉢及びプランタのサイズを用途に応じて大きくすることが出来るためサイズや形状の異なる植栽枡又は植栽ボックスを複数備えることができ，植木のサイズ及び景観を作る高低差を複数に分けて作ることを可能にした。また，植栽の造園と池を一つの造園用の容器で作ることも可能にし，該容器に作庭し，移動又は運ぶことで動くガーデンとして使うことができる。【００１３】    本発明は単体で運べる機能を持つ造園用の容器を複数ならべて大きな作庭スペースを作ることを可能にした。又造園用の容器の排水口を複数繋ぎ配管し，排水を少なくまとめることで排水の処理を容易にし，再利用も可能にした。
【発明の効果】
【００１４】    上述したように本発明の造園用の容器は植栽スペースを大きくし，庭園作ることを可能にするとともに，フォークリフト，クレーン及びトラックなどを使い，運ぶための機能を備えたもので庭園を壊さず，何度も移動及び運んで使い，楽しみことを可能にし，庭の機能と用途を拡大した。【００１５】    また，造園用の容器の底に落ちる散水及び雨水などが排水溝及び排水口に流れる勾配の仕組みで排水し，外部に垂れ流さず，回収または再利用を可能にし，屋内や排水を流せない場所で庭園を使い，楽しむことができる。【００１６】    また，地面（土）がないところでも庭園をつくり楽しむことを可能にした。【００１７】    また，作庭した庭園を運べることで再利用が可能となり資源及び資金の節約になる。
【図面の簡単な説明】
【００１８】
【図１】勾配排水溝型プランタ大，ベースパレット（独立桟一体型）を複数組み合わせた鳥瞰図。
【図２】勾配排水溝型プランタ大，ベースパレット（独立桟一体型）の展開図。
【図３】勾配排水溝型プランタ小，ベースパレット（独立桟一体型）の展開図。
【図４】荷物運び用パレット鳥瞰図と荷物運び用パレットの上に乗せた勾配排水溝型プランタ，ベースパレット無し（桟無し）を複数組合せの鳥瞰図。
【図５】勾配排水溝型プランタ大，ベースパレット無し（桟無し）の展開図。
【図６】勾配排水溝型プランタ小，ベースパレット無し（桟無し）の展開図。
【図７】勾配集排水型ガーデニングパレット（複数植栽枡兼植栽ボックス兼水槽，池＆プールタイプ）の鳥瞰図。
【図８】勾配集排水型ガーデニングパレット（複数植栽枡兼植栽ボックス兼水槽，池＆プールタイプ）の桟独立型の平面図。
【図９】勾配集排水型ガーデニングパレット（複数植栽枡兼植栽ボックス兼水槽，池＆プールタイプ）桟型の平面図。
【図１０】（Ａ）勾配排水溝型プランタの縦長タイプ１０個又は勾配集排水型プランタの縦長タイプ１０個を横に並べた鳥瞰図，（Ｂ）勾配排水溝型プランタの排水口を連結配管した平面図。
【図１１】勾配集排水型ガーデニングパレットに造園した動くガーデン鳥瞰図と（Ｂ）クレーンフック図（Ｃ）車輪，キャスター図。
【発明を実施するための形態】
【００１９】
【実施例】
【００２０】  図１においては，勾配排水溝型プランタ大と勾配排水溝型プランタ小である。１は底で２は前面板３は左側面板４は背面板５は右側面板で、１の底が９から１１及び１０から１２の方向へ傾斜がついていて１７の排水溝へ散水や降った雨水が流れる。排水溝は１１から１２の方向へ傾斜がついていて８の排水口から流れでる。６ベースパレット独立桟，７ベースパレット通し桟で車輪を装着することができ，桟と桟の空間にフォークリフトの爪やクレーン吊り用のベルトを取り付け持ち上げて移動及び車載して運び，設置して使うものである。【００２１】  図２においては，勾配排水溝型プランタ大の展開図で（Ａ）は右側面図で排水は１０の勾配水上から８の排水口に向かって流れる。（Ｂ）は背面図である。（Ｃ）は平面図で１０の勾配水上から１２の勾配水下方向へ流れ，１３の排水溝に入る。また，９の勾配水上から１１の勾配水下方向へ流れ，１３の排水溝に入り，１３の排水溝は１１から１２の方向へ勾配がついていて排水が流れる。（Ｄ）は正面図で１６は排水溝の底である（Ｅ）は左側面図である。１３は排水溝である。【００２２】  図３においては，勾配排水溝型プランタ小の展開図で（Ａ）は左側面図で排水は１０の勾配水上から８の排水口に向かって流れる。（Ｂ）は正面図である。（Ｃ）は平面図で１０の勾配水上から１２の勾配水下方向へ流れ，１３の排水溝に流れる。また，９の勾配水上から１１の勾配水下方向へ流れ，１３の排水溝に入り，１７の排水溝は１１から１２の方向へ勾配がついていて排水が流れる。（Ｄ）背面図で１６は排水溝の底である。（Ｅ）は右側面図である。１３は排水溝である。【００２３】  図４においては，（Ａ）荷物運び用パレットで１７の一般荷物用パレット上面１８の固定用穴，１９のフォークリフト用爪穴兼クレーンベルト用穴でこれに（Ｂ）勾配排水溝型プランタ大と勾配排水溝型プランタ小を組み合わせて載せたものである。【００２４】  図５においては，勾配排水溝型プランタ大，ベースパレット無し（桟無し）の展開図で散水又は降った雨水は９勾配水上（排水溝上）から１１排水溝上へ，又１０勾配水上（排水溝下）から１２排水溝下へ流れる。また，排水溝に流れて入った散水及び雨水は１１排水溝上から１２排水溝下へ流れ，８排水口に入り外部へ流れ出る。【００２５】  図６においては，勾配排水溝型プランタ小，ベースパレット無し（桟無し）の展開図で散水又は降った雨水は９勾配水上（排水溝上）から１１排水溝上へ，また，１０勾配水上（排水溝下）から１２排水溝下へ流れる。また，排水溝に流れて入った散水及び雨水は１１排水溝上から１２排水口下へ流れ，８排水口に入り外部へ流れ出る。【００２６】  図７においては，勾配集排水型ガーデニングパレットで複数の植栽枡及び植栽ボックスを備え，植栽枡及び植栽ボックスは水槽，池及びプールに兼用でき，植栽と池を併用した庭園を作ることができる。２０は勾配集排水型プランタ，メインで２１は勾配集排水型プランタ，サブで段差のある複数の植栽枡及び植栽ボックスを備えることにより高低差をつけた変化のある作庭が可能である。２２メインプランタ最水上１は底面の最も高い部分で２３メインプランタ水上２及び２４メインプランタ水上３及び���５メインプランタ水上４から８排水口の方向に向かって勾配がついていて散水又は雨水が流れて排水口を通って外部に流れでる。又排水口に貯水タンクを設けて排水を溜めることができ，この排水を循環して散水などに再利用が可能である。２６サブプランタ最水上１及び２７サブプランタ水上２からサブプランタの８排水口に向かって勾配がついていて散水又は雨水はサブプランタの８排水口を通って外部に流れ出る。２８メインＲ背面板及び２９メインＲ側面板，３０メインＲＲ全面板で，３２サブＲＲ全面板，３３Ｒ側面板でこれらの形状、サイズ、デザインは用途及び規模により変更してデザインし、製作することができる。【００２７】  図８においては，勾配集排水型ガーデニングパレットの平面図で，６ベースパレット独立桟を備えてフォークリフトの爪差し込み及びクレーン用ベルトの装着は縦方向、横方向に装着できる。２０勾配集排水型プランタ，メインの２２メインプランタ最水上１，２３メインプランタ水上２，２４メインプランタ水上３，２５メインプランタ水上４から２０勾配集排水型プランタ，メインの８排水口方向へ傾斜がつき排水及び雨水が流れ出る。２１勾配集排水型プランタ，サブの２６サブプランタ最上水１，２７サブプランタ上水２から２１勾配集排水型プランタ，サブの８排水口方向へ傾斜がつき排水及び雨水が流れ出る。【００２８】  図９においては，勾配集排水型ガーデニングパレットの平面図で，７ベースパレット桟を備えてフォークリフトの爪差し込み及びクレーン用ベルトの装着は横方向又は縦方向のいずれかで作られ，桟が繋がっていることで必要方向の強度を増すことができる。２０勾配集排水型プランタ，メインと２１勾配集排水型プランタ，サブは共に８排水口を備えている。【００２９】  図１０においては，勾配排水溝型プランタを横一列に並べた（Ａ）鳥瞰図，及び（Ｂ）平面図で，（Ａ）３４勾配排水溝型プランタの縦長タイプの７ベースパレット通し桟及び８排水口を備えたものを１０個横一列にならべて配置したものである。（Ｂ）は３４勾配排水溝型プランタの縦長タイプの７ベースパレット通し桟及び８排水口を備えたものを１０個横一列に並べ，８排水口を１０ヶ所３５連結配管したものである。１３の排水溝から出た排水は８排水口から３５連結配管に入りはｅからＣ，及びｅからｄ方向へ水勾配を取り両方に分かれて３６連結配管排水口から流れ出る。また，３６連結配管排水口に排水貯水タンクを取り付け，溜まった排水再利用が出来る。また，（Ａ）図及び（Ｂ）において，例えばａからｂを１０メートル，Ｃからｄを３メートルにして作庭すると３０ｍ２の面積の庭園ができる。この３４勾配排水溝型プランタ縦長タイプの７ベースパレット通し桟及び８排水口を備えた１０個の作庭枡及びプランタからできた庭園は他の場所で作庭して並べることも可能で，配置及び設置して使用後にも１０個に分けて運搬し，再利用ができるものである。【００３０】  図１１においては，（Ａ）勾配集排水型のガーデニングパレットに作った４０作庭，庭園で，庭園に散水し又は降った雨水は，８排水口に向かって流れ，４７排水浄化剤，浄化材料及び濾過槽及び４５排水浄化剤，濾過槽ストッパーの４６濾過水排水穴を通り，４３排水水溜り��濾過し，浄化された排水が溜まる。また，濾過された排水は４４水面ラインまで上がり，４２のオーバーフロー排水口から流れ排水貯水タンクに入る又は再利用配管に接続し，散水及び池の水として再利用する。（Ｂ）は（Ａ）を吊り上げて移動及び車載し，運ぶ為の３９クレーンフックである。（Ｃ）は（Ａ）の６ベースパレット独立桟又は７ベースパレット通し桟に取り付けて使う３８車輪，キャスターである。８排水口に栓を取り付け塞ぐことで作庭をしないで４１池＆プール＆水槽として使うことができる，また，排水口の外側に排水を溜めるタンクを取り付け排水を溜めることができ，排水を庭園の散水に再利用もできる。【００３１】  図１の勾配排水溝型プランタ大及び図７の集排水型ガーデニングパレットを内側及び外側を両底面含む全ての部分を木材及び合板又は発砲スチロール，紙材，鋼材，ＦＲＰ，及び合成樹脂板材で製作し，その上に合成樹脂を塗装又は吹付け，施し製作又は合成樹脂材で製作する。
【産業上の利用可能性】
【００３２】    地面に庭を作れない場所又は庭を作りにくい場所及び店舗や施設及び屋内で庭の利用，また，庭を楽しむことを可能にしたこと，また，運べることで多くの場所で使われる可能性が高く，また，手軽に短期間及び期間を限定して庭を使うこともでき，オリンピックなどのイベントで使用し，使い終わった後の再利用もでき，産業上利用の可能性が高い。
【符号の説明】
【００３３】１    勾配排水溝型プランタ大，（ベースパレット桟一体型）
２    前面板
３    左側面板
４    背面板
５    右側面板
６    ベースパレット独立桟
７    ベースパレット通し桟
８    排水口
９    勾配水上（排水溝上）
１０  勾配水上（排水溝下）
１１  排水溝上
１２  排水溝下
１３  排水溝
１４  勾配排水型プランタ小，（ベースパレット桟一体型）
１５  底裏面
１６  底面
１７  一般荷物用パレット上面
１８  固定用穴
１９  フォークリフト用爪穴兼クレーンベルト用穴
２０  勾配集排水型プランタ，メイン
２１  勾配集排水型プランタ，サブ
２２  メインプランタ最水上１
２３  メインプランタ水上２
２４  メインプランタ水上３
２５  メインプランタ水上４
２６  サブプランタ最水上１
２７  サブプランタ水上２
２８  メインＲ背面板
２９  メインＲ側面板
３０  メインＲＲ前面板
３１  メインＲ側面板
３２  サブＲＲ前面板
３３  サブＲ側面板
３４  勾配排水溝型プランタ縦長タイプ
３５  連結配管
３６  連結配管排水口
３７  リフト用兼クレーンベルト取付け部
３８  車輪，キャスター
３９  クレーンフック
４０  作庭，庭園
４１  池＆プール＆水槽
４２  オーバーフロー排水口
４３  排水水溜り
４４  水面ライン
４５  排水浄化剤，濾過槽ストッパー
４６  濾過水排水穴
４７  排水浄化剤，浄化材料及び濾過槽
【手続補正書】
【提出日】平成29年8月7日(2017.8.7)
【手続補正１】
【補正対象書類名】特許請求の範囲
【補正対象項目名】全文
【補正方法】変更
【補正の内容】
【特許請求の範囲】
【請求項１】
植木，草花を複数植栽し，植栽及び造園に使用する容器で，排水口と排水口に向かって勾配のついた底と排水口を塞ぐ栓とを備えていること，前記排水口を栓で塞ぐことにより，雨水，散水又は注水を溜める機能を備えていること，前記容器内に溜まった水を排水するオーバーフロー排水口を備えていること，該容器は底の勾配の高い部分と低い部分との途中に排水浄化剤と濾過水排水穴を備える濾過槽ストッパー，又は排水浄化剤と浄化材料のいずれかと濾過槽を設けることにより，雨水，散水又は注水した水は浄化されて排水口付近に浄化された水溜まりをつくること，溜まった水はオーバーフロー排水口の高さの水面ラインで外部へ排水すること，これにより一つの容器で植栽と浄化された水場を作ることができ，魚及び生物を飼うことができることを特徴とする造園用の容器。
【請求項２】
造園用の容器の底は該容器に散水された水を１又は複数の排水口に向かって集まるように勾配を設けた勾配集排水型であること，又は該容器の底に排水溝を設け，容器の底は排水溝に向かって勾配を設け，排水溝は排水口に向かって勾配を設けた勾配排水溝型であること，勾配集排水型の排水口又は勾配排水溝型の排水口は容器の底の最低部に設けることで，該容器内に植栽された植物に散水した水は底の勾配により流れ，浄化されて排水口からすべて外部へ排出されることを特徴とする載請求項１に記載の造園用の容器。
【請求項３】
造園用の容器に溜まった浄化された水を排水口又はオーバーフロー排水口に配管を取付けして，配管を排水貯水タンクに接続し，浄化した水の循環装置を設けて，該容器内へ浄化した水を戻し，水を再利用できる機能を備えることを特徴とする請求項１又は請求項２に記載の造園用の容器。
【請求項４】
造園用の容器の下部に間隔をあけて設けたベースパレット独立桟６又は間隔をあけて設けたベースパレット通し桟７のいずれかを選択して使い，間に空間を設けた，リフト兼用クレーンベルト取付け部３７にリフトの爪を差し込み又はクレーンベルトを取付けして，造園用の容器をリフトで持ち上げ又はクレーンで吊り上げて，車載して運べることを特徴とする請求項１，請求項２，請求項３に記載の造園用の容器。
【請求項５】
造園用の容器を複数並べて浄化した水を循環させて使うことを特徴とする請求項１，請求項２，請求項３，請求項４，に記載の造園用の容器。
【請求項６】
一つの造園用の容器に複数の枡及び作庭ボックス及び水槽を備えて，雨水，散水，を浄化して循環させて使うことを特徴とする請求項１，請求項２，請求項３，請求項４，請求項５に記載の造園用の容器。